【手続補正書】
【提出日】平成29年2月23日(2017.2.23)
【手続補正１】
【補正対象書類名】特許請求の範囲
【補正対象項目名】全文
【補正方法】変更
【補正の内容】
【特許請求の範囲】
【請求項１】
第1のネットワークデバイスによって動作可能な通信の方法であって、
第2のネットワークデバイスから、所定の長さのデータとサイクリックプレフィックスとを表すシンボルを含む送信を受信するステップと、
前記第2のネットワークデバイスがサイクリックプレフィックスの非標準的な使用と適合するかどうかを判定するステップと、
前記第1のネットワークデバイスまたは前記第2のネットワークデバイスの少なくとも1つがスモールセルであるかどうかを判定するステップと、
前記第2のネットワークデバイスがサイクリックプレフィックスの非標準的な使用と適合するとの判定および前記第1のネットワークデバイスまたは前記第2のネットワークデバイスがスモールセルであるとの判定に応答して、
追加のデータの送信のために前記サイクリックプレフィックスの使用可能な一部分を決定し、
前記サイクリックプレフィックスの前記使用可能な一部分を用いて、前記追加の部分に対する第1の信号を決定し、
サイクリックプレフィックスの使用可能な一部分に対応するシンボルの一部分のための第2の信号を判定し、
前記第1の信号と前記第2の信号を組み合せて第3の信号を生成する
ステップと
を含む方法。
【請求項２】
良好なチャネル状態の存在を判定するステップをさらに含む、請求項1に記載の方法。
【請求項３】
良好なチャネル状態の存在を判定するステップが、前記第1のネットワークデバイスが
フェムトセルであると判定するステップを含む、請求項2に記載の方法。
【請求項４】
良好なチャネル状態の存在を判定するステップが、前記第2のネットワークデバイスが
フェムトセルであると判定するステップを含む、請求項2に記載の方法。
【請求項５】
前記サイクリックプレフィックスの使用可能な一部分がチャネル品質に基づく、請求項
2に記載の方法。
【請求項６】
前記サイクリックプレフィックスの前記使用可能な一部分が、前記送信の最初のインスタンスの受信と前記送信の最後のインスタンスの受信との間の差である遅延拡散量に基づく、請求項1に記載の方法。
【請求項７】
前記第1の信号と前記第2の信号を組み合せるステップは、前記サイクリックプレフィックスの前記使用可能な一部分を、各シンボルの対応するセクションと平均化するステップを含む、請求項1に記載の方法。
【請求項８】
サイクリックプレフィックスの前記非標準的な使用は、ロングタームエボリューション(LTE)仕様規格によって規定されていない長さを有するサイクリックプレフィックスである、請求項1に記載の方法。
【請求項９】
第2のネットワークデバイスから、所定の長さのデータとサイクリックプレフィックスとを表すシンボルを含む送信を受信するステップと、
前記第2のネットワークデバイスがサイクリックプレフィックスの非標準的な使用と適合するかどうかを判定するステップと、
前記第1のネットワークデバイスまたは前記第2のネットワークデバイスの少なくとも1つがスモールセルであるかどうかを判定するステップと、
前記第2のネットワークデバイスがサイクリックプレフィックスの非標準的な使用と適合するとの判定および前記第1のネットワークデバイスまたは前記第2のネットワークデバイスがスモールセルであるとの判定に応答して、
追加のデータの送信のために前記サイクリックプレフィックスの使用可能な一部分を決定し、
前記サイクリックプレフィックスの前記使用可能な一部分を用いて、前記追加の部分に対する第1の信号を決定し、
サイクリックプレフィックスの使用可能な一部分に対応するシンボルの一部分のための第2の信号を判定し、
前記第1の信号と前記第2の信号を組み合せて第3の信号を生成する
ステップと
を行うように構成された少なくとも1つのプロセッサと、
データを記憶するための前記少なくとも1つのプロセッサに結合されたメモリと
を含む、ワイヤレス通信装置。
【請求項１０】
前記少なくとも1つのプロセッサが、良好なチャネル状態の存在を判定するように構成された、請求項9に記載の装置。
【請求項１１】
前記サイクリックプレフィックスの使用可能な一部分がチャネル品質に基づく、請求項
10に記載の装置。
【請求項１２】
前記サイクリックプレフィックスの前記使用可能な一部分が、前記送信の最初のインスタンスの受信と前記送信の最後のインスタンスの受信との間の差である遅延拡散量に基づく、請求項9に記載の装置。
【請求項１３】
前記第1の信号と前記第2の信号を組み合せるステップは、前記サイクリックプレフィックスの前記使用可能な一部分を、各シンボルの対応するセクションと平均化するステップを含む、請求項9に記載の装置。
【請求項１４】
サイクリックプレフィックスの前記非標準的な使用は、ロングタームエボリューション(LTE)仕様規格によって規定されていない長さを有するサイクリックプレフィックスである、請求項9に記載の装置。
【請求項１５】
前記第1のネットワークデバイスまたは前記第2のネットワークデバイスの少なくとも1つがスモールセルであるかどうかを判定するステップは、前記第1のネットワークデバイスまたは前記第2のネットワークデバイスの少なくとも1つがフェムトセルであるかどうかを判定するステップを含む、請求項9に記載の装置。
【請求項１６】
第2のネットワークデバイスから、所定の長さのデータとサイクリックプレフィックスとを表すシンボルを含む送信を受信する手段と、
前記第2のネットワークデバイスがサイクリックプレフィックスの非標準的な使用と適合するかどうかを判定する手段と、
前記第1のネットワークデバイスまたは前記第2のネットワークデバイスの少なくとも1つがスモールセルであるかどうかを判定する手段と、
前記第2のネットワークデバイスがサイクリックプレフィックスの非標準的な使用と適合するとの判定および前記第1のネットワークデバイスまたは前記第2のネットワークデバイスがスモールセルであるとの判定に応答して、
追加のデータの送信のために前記サイクリックプレフィックスの使用可能な一部分を決定し、
前記サイクリックプレフィックスの前記使用可能な一部分を用いて、前記追加の部分に対する第1の信号を決定し、
サイクリックプレフィックスの使用可能な一部分に対応するシンボルの一部分のための第2の信号を判定し、
前記第1の信号と前記第2の信号を組み合せて第3の信号を生成する
手段と
を含む、ワイヤレス通信装置。
【請求項１７】
良好なチャネル状態の存在を判定する手段をさらに含む、請求項16に記載の装置。
【請求項１８】
前記サイクリックプレフィックスの使用可能な一部分がチャネル品質に基づく、請求項
17に記載の装置。
【請求項１９】
前記サイクリックプレフィックスの前記使用可能な一部分を決定する手段が、前記送信の最初のインスタンスの受信と前記送信の最後のインスタンスの受信との間の差である遅延拡散量を決定することに基づく、請求項16に記載の装置。
【請求項２０】
前記第1の信号と前記第2の信号を組み合せるステップは、前記サイクリックプレフィックスの前記使用可能な一部分を、各シンボルの対応するセクションと平均化するステップを含む、請求項16に記載の装置。
【請求項２１】
サイクリックプレフィックスの前記非標準的な使用は、ロングタームエボリューション(LTE)仕様規格によって規定されていない長さを有するサイクリックプレフィックスである、請求項16に記載の装置。
【請求項２２】
前記第1のネットワークデバイスまたは前記第2のネットワークデバイスの少なくとも1つがスモールセルであるかどうかを判定する手段は、前記第1のネットワークデバイスまたは前記第2のネットワークデバイスの少なくとも1つがフェムトセルであるかどうかを判定することを含む、請求項9に記載の装置。
【請求項２３】
サイクリックプレフィックスの前記非標準的な使用は、ロングタームエボリューション(LTE)仕様規格によって規定されていない長さを有するサイクリックプレフィックスである、請求項16に記載の装置。
【請求項２４】
少なくとも1つのコンピュータに、
第2のネットワークデバイスから、所定の長さのデータとサイクリックプレフィックスとを表すシンボルを含む送信を受信するステップと、
前記第2のネットワークデバイスがサイクリックプレフィックスの非標準的な使用と適合するかどうかを判定するステップと、
前記第1のネットワークデバイスまたは前記第2のネットワークデバイスの少なくとも1つがスモールセルであるかどうかを判定するステップと、
前記第2のネットワークデバイスがサイクリックプレフィックスの非標準的な使用と適合するとの判定および前記第1のネットワークデバイスまたは前記第2のネットワークデバイスがスモールセルであるとの判定に応答して、
追加のデータの送信のために前記サイクリックプレフィックスの使用可能な一部分を決定し、
前記サイクリックプレフィックスの前記使用可能な一部分を用いて、前記追加の部分に対する第1の信号を決定し、
サイクリックプレフィックスの使用可能な一部分に対応するシンボルの一部分のための第2の信号を判定し、
前記第1の信号と前記第2の信号を組み合せて第3の信号を生成する
ステップと
を行わせるためのコードを含む、コンピュータプログラム。
【請求項２５】
前記少なくとも1つのコンピュータに、良好なチャネル状態の存在を判定することをさ
らに行わせるためのコードを含む、請求項24に記載のコンピュータプログラム。
【請求項２６】
前記サイクリックプレフィックスの使用可能な一部分がチャネル品質に基づく、請求項
25に記載のコンピュータプログラム。
【請求項２７】
前記サイクリックプレフィックスの前記使用可能な一部分が、前記送信の最初のインスタンスの受信と前記送信の最後のインスタンスの受信との間の差である遅延拡散量に基づく、請求項25に記載のコンピュータプログラム。
【請求項２８】
前記第1の信号と前記第2の信号を組み合せるステップは、前記サイクリックプレフィックスの前記使用可能な一部分を、各シンボルの対応するセクションと平均化するステップを含む、請求項25に記載のコンピュータプログラム。
【請求項２９】
前記第1のネットワークデバイスまたは前記第2のネットワークデバイスの少なくとも1つがスモールセルであるかどうかを判定するステップは、前記第1のネットワークデバイスまたは前記第2のネットワークデバイスの少なくとも1つがフェムトセルであるかどうかを判定するステップを含む、請求項24に記載のコンピュータプログラム。
【請求項３０】
サイクリックプレフィックスの前記非標準的な使用は、ロングタームエボリューション(LTE)仕様規格によって規定されていない長さを有するサイクリックプレフィックスである、請求項24に記載のコンピュータプログラム。